(57)【要約】      （修正有）【課題】本考案は、本体にＦＭトランスミッター部の他に充電部を設けて他機器の長時間再生を行い、この本体及び他機器をスタンド本体に設けることにより、車内での取付けを容易化することを目的とする。【解決手段】本考案による車用送信・電源装置は、本体2内にＦＭトランスミッター部3及び充電部4を設け、この本体2をスタンド本体の凹状保持部内に収納すると共に保持台部内に他機器12を保持し、前記他機器12に対して充電を行う構成である。【選択図】図６
0003111606.tif 000002
【実用新案登録請求の範囲】
【請求項１】
本体(2)に設けられたＦＭトランスミッター部(3)と、前記ＦＭトランスミッター部(3)に他機器(12)からの出力信号(13)を入力するための入力プラグ(11)と、前記本体(2)に設けられ複数種の入力電源に対応する電源入力部(10)と、前記本体(2)に設けられ前記他機器(12)の内蔵電源(20)に充電するための充電部(4)とを備え、
前記他機器(12)からの出力信号(13)を前記ＦＭトランスミッター部(3)で外部へ送信するように構成したことを特徴とする車用送信・電源装置。
【請求項２】
前記本体(2)内には、無線ＬＡＮ送信機能(5)が内蔵されていることを特徴とする請求項１記載の車用送信・電源装置。
【請求項３】
前記本体(2)には、前記他機器(12)用のマイクロフォン(21)が設けられており、前記マイクロフォン(21)はハンズフリー機能を構成していることを特徴とする請求項１又は２記載の車用送信・電源装置。
【請求項４】
前記他機器(12)は、携帯電話よりなることを特徴とする請求項１ないし３の何れかに記載の車用送信・電源装置。
【請求項５】
前記本体(2)は、スタンド本体(30)の下部の凹状保持部(31)内に配設され、前記他機器(12)は、前記スタンド本体(30)の上部に配設された保持台部(32)に着脱自在に設けられていることを特徴とする請求項１ないし４の何れかに記載の車用送信・電源装置。
【請求項６】
前記スタンド本体(30)の前記凹状保持部(31)の底板(30A)に植立して形成された支持柱(35)には、前記保持台部(32)が傾動自在に設けられていることを特徴とする請求項５記載の車用送信・電源装置。
【請求項７】
前記保持台部(32)の背面(37)に一体に形成された弧状片(38)と、前記凹状保持部(31)の上部に設けられ前記弧状片(38)の長孔(39)と係合するねじ部材(40)とを有し、前記ねじ部材(40)の締付けにより前記保持台部(32)の傾斜位置を自在に設定することができるように構成したことを特徴とする請求項５又は６記載の車用送信・電源装置。
【請求項８】
前記凹状保持部(31)は、前記スタンド本体(30)の前記底板(30A)と、前記底板(30A)に植立された立上り片(33)と、前記立上り片(33)の両側に設けられた一対の側板(34)とからなり、前記本体(2)は前記各側板(34)間に配設されていることを特徴とする請求項５ないし７の何れかに記載の車用送信・電源装置。
【請求項９】
前記他機器(12)と本体(2)とを接続するための前記入力プラグ(11)のライン(14)には、前記他機器用のマイクロフォン(21)が設けられており、前記マイクロフォン(21)はハンズフリー機能を構成していることを特徴とする請求項１，２，４，５，６，７，８の何れかに記載の車用送信・電源装置。
【請求項１０】
前記本体(2)の一面にはマグネット(50)が設けられていることを特徴とする請求項１ないし９の何れかに記載の車用送信・電源装置。
【考案の詳細な説明】
【技術分野】
【０００１】
本考案は、車用送信・電源装置に関し、特に、少なくとも送信機能、充電機能等を有し、携帯電話等の他機器からの音楽等の出力信号を車内の音響機器に送信して再生し、かつ、他機に対して充電することができるようにするための新規な改良に関する。
【背景技術】
【０００２】
従来、用いられていたこの種の車用送信装置としては、特許文献等を開示していないが、一例としては、ＦＭトランスミッター部が設けられ、カセット再生機、ＨＤＤ搭載音楽再生機、メモリー搭載音楽再生機、ＣＤ／ＭＤ再生機等からの音楽を、車用送信装置を介して車内の音響機器に送信して再生していた。
【考案の開示】
【考案が解決しようとする課題】
【０００３】
従来の車用送信装置は、以上のように構成されていたため、次のような課題が存在していた。
すなわち、近年のように、前述の各音楽再生機器とは別に、携帯電話での音楽再生能力が大幅に向上すると、前述のＨＤＤ搭載音楽再生機、メモリー搭載音楽再生機等から誰もが所有している携帯電話に音楽携帯の分野の主役が変わることになると考えられている。
【０００４】
この携帯電話に、従来の会話及びスケジュール管理等の機能に音楽再生機能が加わることにより、車内でその１００％の機能を楽しむためには、送信機器及び重電機器等の複数の機器を必要とし、車内でこれらの各機器を操作していると、車の運転に重大な支障が発生するおそれがあり、現在の車内携帯電話の操作規則にも触れることになっていた。
【課題を解決するための手段】
【０００５】
本考案による車用送信・電源装置は、本体に設けられたＦＭトランスミッター部と、前記ＦＭトランスミッター部に他機器からの出力信号を入力するための入力プラグと、前記本体に設けられ複数種の入力電源に対応する電源入力部と、前記本体に設けられ前記他機器の内蔵電源に充電するための充電部とを備え、前記他機器からの出力信号を前記ＦＭトランスミッター部で外部へ送信するようにした構成であり、また、前記本体内には、無線ＬＡＮ送信機能が内蔵されている構成であり、また、前記本体には、前記他機器用のマイクロフォンが設けられており、前記マイクロフォンはハンズフリー機能をなす構成であり、また、前記他機器は、携帯電話よりなる構成であり、また、前記本体は、スタンド本体の下部の凹状保持部内に配設され、前記他機器は、前記スタンド本体の上部に配設された保持台部に着脱自在に設けられている構成であり、また、前記スタンド本体の前記凹状保持部の底板に植立して形成された支持柱には、前記保持台部が傾動自在に設けられている構成であり、また、前記保持台部の背面に一体に形成された弧状片と、前記凹状保持部の上部に設けられ前記弧状片の長孔と係合するねじ部材とを有し、前記ねじ部材の締付けにより前記保持台部の傾斜位置を自在に設定することができるようにした構成であり、また、前記凹状保持部は、前記スタンド本体の前記底板と、前記底板に植立された立上り片と、前記立上り片の両側に設けられた一対の側板とからなり、前記本体は前記各側板間に配設されている構成であり、また、前記他機器と本体とを接続するための入力プラグのラインには、前記他機器用のマイクロフォンが設けられており、前記マイクロフォンはハンズフリー機能をなす構成であり、前記本体の一面にはマグネットが設けられている構造である。
【考案の効果】
【０００６】
本考案による車用送信・電源装置は、以上のように構成されているため、次のような効果を得ることができる。
すなわち、車用送信・電源装置の本体内に、少なくともＦＭトランスミッター部及び充電部が設けられているため、携帯電話等からの信号をＦＭトランスミッター部を介して車内の音響機器に送信しつつ、充電部を介して携帯電話等に充電することができ、携帯電話等のバッテリー上りを防止することができ、長時間の音楽等の再生を継続することができる。
また、本体内にマイクを設けてハンズフリー機能を有しているため、携帯電話の送受信をハンズフリーで行うことができる。
また、無線ＬＡＮ送信機能を有しているため。携帯電話等からの音楽ソースの出力信号を車内の音響機器の無線ＬＡＮ受信機能を介して受信し、自在な音楽再生を行うことができる。
【考案を実施するための最良の形態】
【０００７】
本考案は、少なくとも送信機能、充電機能を有し、携帯電話等の他機器からの音楽等の出力信号を車内の音響機器に送信し、かつ、他機に対して充電することができるようにした車用送信・電源装置を提供することを目的とする。
【実施例】
【０００８】
以下、図面と共に本考案による車用送信・電源装置の好適な実施の形態について説明する。
図１から図５で示される構成は、本考案による車用送信・電源装置１を示すもので、この車用送信・電源装置１の本体２には、送信部としてのＦＭトランスミッター部３、充電部４及び無線ＬＡＮ送信機能５（商品名、ブルートゥース）が内蔵されている。
【０００９】
前記本体２の上部には、前記ＦＭトランスミッター部３、充電部４及び無線ＬＡＮ送信機能５に対して電源を供給するためのＤＣ１２Ｖ、ＵＳＢ電源、ＡＣ１００Ｖ等の複数種の入力電源に対応した電源入力部１０が設けられている。
【００１０】
前記電源入力部１０の隣接位置には、ライン１４を介して入力プラグ１１が設けられ、この入力プラグ１１は、携帯電話等の他機器１２からの出力信号１３をライン１４を介して前記ＦＭトランスミッター部３又は無線ＬＡＮ送信機能５へ入力することができるように構成されている。
【００１１】
前記入力プラグ１１の隣接位置には、ＵＳＢ接続部１５が設けられ、前記他機器１２のＵＳＢケーブル（図示せず）が接続されるように構成されている。
また、前記本体２の他の側部には、前記充電部４に接続された充電用プラグ１６の充電用プラグ出力部１７が設けられ、この充電用プラグ１６を前記他機器１２に接続することにより内蔵電源２０に対して常時充電を行ない、長時間の連続再生を行うことができるように構成されている。
【００１２】
前記本体２の下部には、送信周波数を選択するための送信周波数選択部１８が設けられ、前記ＦＭトランスミッター部３の送信電波の周波数を数種類選択することができるように構成されている。
【００１３】
前記本体２の送信周波数選択部１８の隣接位置には、前記携帯電話１２のハンズフリー機能を達成するためのマイクロフォン２１が設けられており、このマイクロフォン２１の出力信号１３は前記ライン１４を介して前記他機器１２内に取込まれるように構成されている。
尚、前記マイクロフォン２１は、前記本体２に取付ける構成に限ることなく、前記入力プラグ１１のライン１４の途中位置に設けることもできる。
【００１４】
前述の本体２は、全体形状が箱状であるため、この本体２の何れかの面に取付けた図示しない両面テープ又はマジックテープ（登録商標）を介して車内のダッシュボード等の何れかの取付面に装着される。また、前記本体２の前面等の何れかの一面にマグネット５０を設けた場合には、このマグネット５０にアイポット、携帯等の他機器１２を装着することができ、この本体２をスタンド代りとして用いることもできる。
【００１５】
また、前述の図６の構成では、車用送信・電源装置１と携帯電話１２とは、別々に構成され、携帯電話１２を設置する場所は特には設けられていないため、図７及び図８で示されるように、スタンド本体３０を用いると極めて好適である。
【００１６】
前記スタンド本体３０は、凹状保持部３１とこの凹状保持部３１の上方に位置する保持台部３２とから主として構成されている。
前記凹状保持部３１は、底板３０Ａと、前記底板３０Ａの一端３０ａから垂直に一体で植立された立上り片３３と、この立上り片３３の両側からやや外側へ向けて拡がる状態の一対の側板３４によって構成されている。
【００１７】
前記凹状保持部３１には、前記本体２が着脱自在に設けられており、前記底板３０Ａの他端３０ｂには前記立上り片３３と対向して垂直に一体で植立された支持柱３５が設けられている。
前記支持柱３５の上部には、軸支部３６を介して前記保持台部３２が傾動自在に設けられており、この保持台部３２の背面３７から弧状に突出して形成された一対の弧状片３８には弧状の長孔３９が形成されている。
【００１８】
前記立上り片３３の上部には、一対の図示しない軸保持部を介してねじ部材４０が設けられ、このねじ部材４０は前記各長孔３９を貫通してナット（図示しない）に螺合するように構成されている。
従って、前記ねじ部材４０をゆるめた後、前記保持台部３２を所望の傾斜角度に設定した後、前記ねじ部材４０を前記ナットに対して締めることにより、前記保持台部３２は前記傾斜角度にて固定される。
【００１９】
前記保持台部３２は、底部３２ａ及び一対の側部３２ｂが一体に折り曲げられて形成され、全体形状がほぼ溝状をなすように構成され、この保持台部３２に前記他機器１２である携帯電話が収納されると共に、前記本体２に設けられた入力プラグ１１は前記携帯電話１２に接続されるように構成されている。
【００２０】
前記スタンド本体３０は、例えば、車内のドリンクホルダにそのまま設置できる。又、車内のドリンクホルダから取り外して室内でも自立スタンドとして設置できる。従って、前述のように携帯電話１２等を保持台部３２内に設け、入力プラグ１１の接続を行い、前記本体２の電源入力部１０にシガレットライタからの電源を接続することにより、携帯電話１２からの音楽ソースを前記本体２すなわち車用送信・電源装置１を介して、車内のカーステレオに送信して音楽再生を行うことができる。
さらに、前記本体２の充電用プラグ出力部に対して、前記携帯電話１２の充電コード（図示せず）を接続することにより、充電しつつ再生を行うことができ、バッテリー容量を気にすることなく長時間の再生が可能となる。
尚、前記他機器１２としては、携帯電話の場合について述べたが、他の携帯音楽再生機器を用いることもできる。
【産業上の利用可能性】
【００２１】
本考案は、携帯電話に限ることなく、各種音楽再生機器、各種映像再生機器に適用することが可能である。
【図面の簡単な説明】
【００２２】
【図１】本考案による車用送信・電源装置を示す正面図である。
【図２】図１の上面図である。
【図３】図１の右側面図である。
【図４】図１の裏面図である。
【図５】図１の内部構成の概略を示す構成図である。
【図６】図１の車用送信・電源装置に携帯電話等の他機器を接続した状態を示す構成図である。
【図７】図１の車用送信・電源装置を装着したスタンド体を示す正面図である。
【図８】図７の側面図である。
【符号の説明】
【００２３】
１    車用送信・電源装置
２    本体
３    ＦＭトランスミッター部（送信部）
４    充電部
５    無線ＬＡＮ送信機能
１０    電源入力部
１１    入力プラグ
１２    他機器（携帯電話等）
１４    ライン
１５    ＵＳＢ接続部
１６    充電用プラグ
１７    充電用プラグ出力部
１８    送信周波数選択部
２０    内蔵電源
２１    マイクロフォン
３０    スタンド本体
３１    凹状保持部
３２    保持台部
３０Ａ    底板
３３    立上り片
３４    側板
３５    支持柱
３７    背面
３８    弧状片
３９    長孔
４０    ねじ部材
【図１】
0003111606.tif 000003
【図２】
0003111606.tif 000004
【図３】
0003111606.tif 000005
【図４】
0003111606.tif 000006
【図５】
0003111606.tif 000007
【図６】
0003111606.tif 000008
【図７】
0003111606.tif 000009
【図８】
0003111606.tif 000010